(57)【特許請求の範囲】
【請求項１】
複数の固体光源と、前記複数の固体光源から出射された光を映像信号に応じて変調する光変調素子と、を備え、前記光変調素子により変調された映像光を投写する投写型映像表示装置において、
前記複数の固体光源は、第１色成分光を発する複数の第１の固体光源と、第２色成分光を発する複数の第２の固体光源と、第３色成分光を発する複数の第３の固体光源と、を含み、
前記複数の固体光源のうちいずれかの固体光源に異常が発生したときに、いずれの固体光源に異常が発生したかを報知する報知手段を備え、
前記報知手段は、前記第１色成分光と前記第２色成分光と前記第３色成分光とを発する光源を含み、
前記光源は、異常が発生した固体光源の色成分に対応した色で、異常が発生した固体光源の位置に対応した回数点滅することを特徴とする投写型映像表示装置。
【請求項２】
請求項１記載の投写型映像表示装置において、
前記報知手段は、いずれかの固体光源に異常が発生したときに、いずれの固体光源に異常が発生したかに関する情報を前記映像光に付加して報知することを特徴とする投写型映像表示装置。
【発明の詳細な説明】
【技術分野】
【０００１】
本発明は、複数個の光源を搭載した投写型映像表示装置に関し、詳細には、前記光源の故障をユーザに報知する報知手段に関する。
【背景技術】
【０００２】
投写型映像表示装置においては、一般に、ランプの寿命が投写型映像表示装置の光学部品に比べて短いため、ランプ寿命を検出してユーザにランプ交換を促す警告を行なう方法が広く行われてきている。光源にランプを用いる投写型映像表示装置においては、ランプが１個乃至数個（多くて４個）程度であるため、ランプが点灯しないと、投写型映像表示装置の大幅な輝度低下あるいは映像が表示できない状態につながるためである（例えば、特許文献１）。
【特許文献１】特開２００３−１９５４１８号公報
【発明の開示】
【発明が解決しようとする課題】
【０００３】
ランプを光源とする投写型映像表示装置に対し、１個あたりの光量が小さく、半導体素子のエレクトロルミネッセンス効果を利用したＬＥＤ（Ｌｉｇｈｔ  Ｅｍｉｔｔｉｎｇ  Ｄｉｏｄｅ）や、誘導放出を起こす媒体として半導体を用いたＬＤ（ＬＡＳＥＲ  Ｄｉｏｄｅ）のような固体光源を複数個（例えば、６個以上）配列して光源とする投写型映像表示装置では、いずれかの固体光源が故障した場合に、故障を示す報知を行なう（警告する）だけではどの固体光源が故障しているのか特定することが難しいという問題がある。即ち、メンテナンスや修理の時に、投写型映像表示装置のキャビネットを開けて、内部の光源部分を目視できる状態で、固体光源を発光させ、どの固体光源が故障しているのかを確認しなければならないという煩雑な作業を要するという不都合があった。
【０００４】
あるいは、多数個、例えば、１０個以上配列して光源とする投写型映像表示装置では、１個の固体光源が故障しても、投写型映像表示装置としての輝度低下は大きくとも１割程度であるので、映像を表示し続けることは可能である。従って、固体光源が故障した場合に、即固体光源を交換しなければならないわけではない。しかしながら、交換の必要が無いにしても、ユーザが現時点で交換するか、もっと故障した固体光源の数が増えてから交換するかを選択できるように、故障の情報をユーザに知らしめることが必要である。
【０００５】
本発明は、上記の事情を鑑み、投写型映像表示装置に搭載された複数個の固体光源のうち、いずれの固体光源が故障したかを検出し、この固体光源の故障をユーザに報知することができる投写型映像表示装置を提供することを目的とする。
【課題を解決するための手段】
【０００６】
上記目的を達成するために、本発明のある態様は、複数の固体光源と、この複数の固体光源から出射された光を映像信号に応じて変調する光変調素子と、を備え、この光変調素子により変調された映像光を投写する投写型映像表示装置において、複数の固体光源のうちいずれかの固体光源に異常が発生したときに、いずれの固体光源に異常が発生したかを報知する報知手段を備えることを特徴とするものである。
【０００７】
ここで、複数の固体光源としては、光の３原色である赤色、緑色および青色の光を発するＬＤやＬＥＤ、また、様々な色成分光を含む白色のＬＥＤを複数個並べたものなどが考えられる。このような固体光源が複数個配列されている投写型映像表示装置の場合、いずれの固体光源に異常が発生したか、具体的には、故障して発光しなくなった固体光源を特定できる報知手段を備えることによって、メンテナンス性が向上する。また、上述のように、異常が発生している固体光源が存在していても映像を表示し続けている場合、報知手段によって、投写型映像表示装置が異常を検知していることは確認することができるので、ユーザにとっては信頼性が向上するものと考えられる。
【０００８】
上記の態様において、複数の固体光源が、第１色成分光を発する複数の第１の固体光源と、第２色成分光を発する複数の第２の固体光源と、第３色成分光を発する複数の第３の固体光源とを含む場合、報知手段は、異常が発生した固体光源の色成分に対応した色と異常が発生した固体光源の位置を報知すると良い。ここで、第１、第２および第３の固体光源は、具体的には、光の３原色である赤色、緑色および青色の光を発するＬＤやＬＥＤが考えられる。さらに、上記態様の具体的な報知手段としては、第１色成分光と第２色成分光と第３色成分光とを発する光源を含むものとする。この光源は、異常が発生した固体光源の色成分に対応した色と異常が発生した固体光源の位置に対応した回数とに応じて点滅するように設定されていると良い。異常が発生した固体光源の位置に対応した回数分、その固体光源の色に対応した光源が点滅すれば、異常が発生した光源の位置を的確に特定でき、光源の交換といったメンテナンスが容易である。
【０００９】
また、上記の態様において、複数の固体光源は、第１色成分光を発する複数の第１の固体光源と、第２色成分光を発する複数の第２の固体光源と、第３色成分光を発する複数の第３の固体光源とを含む場合、報知手段は、異常が発生した固体光源の色成分に対応した色と異常が発生した固体光源の個数を報知すると良い。特に、固体光源の個数が多い場合に有効であると考えられる。さらに、上記態様の具体的な報知手段としては、第１色成分光と第２色成分光と第３色成分光とを発する光源を含むものとする。この光源は、異常が発生した固体光源の色成分に対応した色と異常が発生した固体光源の個数に対応した回数とに応じて点滅するように設定されていると良い。固体光源が多数個配列されている場合、点滅によって位置を報知するのでは、点滅回数が多くなりすぎて、位置の確認が困難となることも予想される。このような場合には、いずれの色成分の光源に何個異常が発生しているかを報知する方が、異常が発生している光源の確認が容易であると考えられる。
【００１０】
上記態様のさらに他の具体的な報知手段としては、いずれかの固体光源に異常が発生したときに、いずれの固体光源に異常が発生したかに関する情報を前記映像光に付加して報知するものが考えられる。上述のように、複数個の固体光源の備える投写型映像表示装置では、異常が発生している光源が存在していても映像を表示し続けることが可能である。したがって、ユーザが、投写型映像表示装置の光源の状態について情報を要求した場合、異常が発生した固体光源に関する情報を映像光に付加して表示すれば、光源の点滅による報知よりも、明確な情報をユーザに提供することができる。
【００１１】
本発明の他の態様は、複数の固体光源と、この複数の固体光源から出射された光を映像信号に応じて変調する光変調素子とを備える映像表示装置の報知方法であって、いずれの固体光源に異常が発生したかを検出する光源状態検出ステップと、異常が発生した固体光源の色成分と異常が発生した固体光源の位置または個数とを報知する報知ステップと、を含むものである。また、この報知ステップは、まず、異常が発生した固体光源が有ることを報知する第１報知ステップと、異常が発生した固体光源の色成分と異常が発生した固体光源の位置または個数とを報知する第２報知ステップとに分割しても良い。上記態様によれば、いずれの光源に異常が発生したか、具体的には、故障して発光しなくなった光源を特定して報知するので、メンテナンス性が向上する。
【発明の効果】
【００１２】
本発明によれば、投写型映像表示装置に搭載された複数個の光源のうち、いずれの光源が故障したかを検出し、この光源の故障をユーザに報知することができる。
【発明を実施するための最良の形態】
【００１３】
（投写型映像表示装置の構成）
以下において、本実施形態に係る投写型映像表示装置の構成について、図面を参照しながら説明する。図１は、本実施形態に係る投写型映像表示装置１００の構成を示す概略図である。
【００１４】
図１に示すように、投写型映像表示装置１００は、８個のＬＤ光源１１（赤色ＬＤ光源１１Ｒ、緑色ＬＤ光源１１Ｇ及び青色ＬＤ光源１１Ｂ）が４個×２段のアレイ状に配置された３色分のアレイ光源１０（赤色アレイ光源１０Ｒ、緑色アレイ光源１０Ｇ及び青色アレイ光源１０Ｂ）と、アレイ光源１０に対応した数の光変調素子３０（赤色用光変調素子３０Ｒ、緑色用光変調素子３０Ｇ及び青色用光変調素子３０Ｂ）と、クロスダイクロイックプリズム５０と、光量センサ７０が設けられた投写レンズユニット９０とを有する。
【００１５】
また、アレイ光源１０と光変調素子３０との間には、アレイ光源１０が発する光を均一化すると共に平行光化して光変調素子３０に照射するための光学素子８０が設けられている。具体的には、各ＬＤ光源１１から発せられた光を、光変調素子３０において重畳するように導いて均一化を図るフライアイレンズ８２や、可及的平行に光変調素子３０に照射するように導いて高効率化を図るコンデンサレンズ８４から光学素子８０は構成される。ここで、光学素子８０としては、テーパロッドなども置き換え可能であることに留意すべきである。アレイ光源１０、光変調素子３０及びクロスダイクロイックプリズム５０は照明装置を構成する。
【００１６】
アレイ光源１０Ｒでは、赤色成分光を発する複数のＬＤ光源１１Ｒがアレイ状に配置されている。同様に、アレイ光源１０Ｇでは、緑色成分光を発する複数のＬＤ光源１１Ｇがアレイ状に配置され、アレイ光源１０Ｂでは、青色成分光を発する複数のＬＤ光源１１Ｂがアレイ状に配置されている。ＬＤ光源１１Ｒ、１１Ｇ、１１Ｂは固体光源であり、ＬＥＤでもよい。なお、アレイ光源１０におけるＬＤ光源１１の配置形状は、四角形状に限定されるものではない。例えば、アレイ光源１０におけるＬＤ光源１１の配置形状は、Ｘ形状、十字形状、円形状であってもよく、他の形状であってもよい。
【００１７】
光変調素子３０Ｒは、アレイ光源１０Ｒから出射された赤色成分光を変調する光学素子（例えば、透過型液晶パネル）である。同様に、光変調素子３０Ｇは、アレイ光源１０Ｇから出射された緑色成分光を変調する光学素子あり、光変調素子３０Ｂは、アレイ光源１０Ｂから出射された青色成分光を変調する光学素子である。なお、光変調素子３０は、透過型液晶パネルに限定されるものではない。例えば、光変調素子３０は、反射型液晶パネルであってもよく、ＤＭＤ（Ｄｉｇｉｔａｌ  Ｍｉｃｒｏｍｉｒｒｏｒ  Ｄｅｖｉｃｅ）であってもよい。
【００１８】
クロスダイクロイックプリズム５０は、光変調素子３０Ｒ、光変調素子３０Ｇ及び光変調素子３０Ｂから出射された各色の映像光を合成する色合成部である。具体的には、クロスダイクロイックプリズム５０は、光変調素子３０Ｒから出射された赤色成分光を反射して、光変調素子３０Ｇから出射された緑成分光を透過するダイクロイック膜５１と、光変調素子３０Ｂから出射された青色成分光を反射して、光変調素子３０Ｇから出射された緑成分光を透過するダイクロイック膜５２とを有する。なお、クロスダイクロイックプリズム５０で合成された合成光は、光量センサ７０が設けられた投写レンズユニット９０に導かれる。
【００１９】
光量センサ７０は、クロスダイクロイックプリズム５０で合成された合成光の光路上に設けられている。光量センサ７０は、クロスダイクロイックプリズム５０で合成された合成光の光量を検出する。光量センサ７０の配置位置は、クロスダイクロイックプリズム５０で合成された合成光を検出可能な位置であればよい。なお、光量センサ７０は、クロスダイクロイックプリズム５０で合成された合成光の有効利用範囲外に設けられていることが好ましい。有効利用範囲とは、投写レンズユニット９０によって投写される映像に利用される合成光の範囲である。従って、有効範囲外とは、投写レンズユニット９０によって投写される映像に利用されない部分（いわゆるオーバスキャン部）である。
【００２０】
投写レンズユニット９０は、クロスダイクロイックプリズム５０で合成された合成光をスクリーン（不図示）上に投写する。これによって、スクリーン上には映像が表示される。
【００２１】
（レーザ状態検出部の詳細）
以下において、本実施形態に係る制御ユニットの構成について、図面を参照しながら説明する。図２は、本実施形態に係る制御ユニット２００の構成を示すブロック図である。
【００２２】
図２に示すように、制御ユニット２００は、映像信号処理部１１０と、光変調素子駆動部１２０と、光源状態検出部１３０と、光源制御部１４０と、警告報知部１５０（報知手段の一部に相当する。）と、ＯＳＤ（Ｏｎ−Ｓｃｒｅｅｎ  Ｄｉｓｐｌａｙ）制御部１６０（報知手段の一部に相当する。）と、入力信号検出部１７０とを有する。
【００２３】
映像信号処理部１１０は、赤入力信号Ｒ、緑入力信号Ｇ及び青入力信号Ｂを含む映像入力信号を外部機器（例えば、パーソナルコンピュータ、ＤＶＤ再生装置、ＴＶチューナなど）から取得し、映像入力信号を光変調素子駆動部１２０に入力する。光変調素子駆動部１２０は、映像信号処理部１１０から取得した映像入力信号に応じて、各光変調素子３０（光変調素子３０Ｒ、光変調素子３０Ｇ及び光変調素子３０Ｂ）における光の変調量を制御する。
【００２４】
光源状態検出部１３０は、ＬＤ光源１１に供給される電力とＬＤ光源１１が発する光量との対応関係をＬＤ光源１１毎に記憶する。対応関係の初期値は、ＬＤ光源１１に劣化などが生じていない初期段階において測定された値、ＬＤ光源１１に定められた定格値などである。また、ＬＤ光源１１が発する光量は、光量センサ７０によって検出された値である。
【００２５】
光源制御部１４０は、複数のＬＤ光源１１が光を発する期間である発光期間をＬＤ光源１１単位で制御する。具体的には、光源制御部１４０は、光源状態検出部１３０が複数のＬＤ光源１１のいずれかである測定対象光源の光量を取得するように発光期間を制御する。ここで、光源制御部１４０は、１フレーム区間に対応する映像入力信号に基づいて、１フレーム区間に必要な必要光量を算出する。続いて、光源制御部１４０は、複数のＬＤ光源１１が発する総光量が必要光量となるように、各ＬＤ光源１１の発光期間を制御する。発光期間の制御方法としては、後述するような光源制御例が考えられる。
【００２６】
警告報知部１５０は、ＬＤ光源１１のいずれかに異常があるか否かを判断し、ＬＤ光源１１に異常がある場合には、ＬＤ光源１１に異常が発生したことをユーザに報知する。具体的には、警告報知部１５０は、光源状態検出部１３０が測定対象光源の各光量を順次検出することによって生成した光源状態に関する信号を光源状態検出部１３０から取得する。警告報知部１５０は、この光源状態信号に基づいて、ＬＤ光源１１のいずれかに異常があるか否かを判断する。そして、入力部１８０やタイマー１５２からの警告報知を指示する信号をトリガーとして、インジケータ１９０（後述する図３に示す本体パネル３００のＷＡＲＮＩＮＧのインジケータ２１０に対応）に警告の表示を指示してＬＤ光源１１に異常が発生したことをユーザに報知する。
【００２７】
ここで、本体パネルの構成について、図面を参照しながら説明する。図３（ａ）は投写型映像表示装置１００の筐体に設けられた本体パネル３００の模式図であり、図３（ｂ）は本体パネル３００の部分を拡大した拡大模式図である。ＷＡＲＮＩＮＧインジケータ２１０（報知手段の一部に相当する。）と、ＳＴＡＴＵＳボタン２２０と、ＭＥＮＵボタン２３０と、方向指示ボタン２４０（図面上において上向き矢印ボタン２４０ｕ、下向き矢印ボタン２４０ｄ、右向き矢印ボタン２４０ｒ及び左向き矢印ボタン２４０ｌ）と、ＳＥＴボタン２５０と、ＩＮＰＵＴボタン２６０と、ＯＮ／ＯＦＦボタン２７０と、ＰＯＷＥＲインジケータ２８０とを有する。ＳＴＡＴＵＳボタン２２０、ＭＥＮＵボタン２３０、方向指示ボタン２４０、ＳＥＴボタン２５０、ＩＮＰＵＴボタン２６０及びＯＮ／ＯＦＦボタン２７０の各ボタンは、図２の入力部１８０に相当し、ＷＡＲＮＩＮＧインジケータ２１０及びＰＯＷＥＲインジケータ２８０はインジケータ１９０に相当する。
【００２８】
ＳＴＡＴＵＳボタン２２０は、ＷＡＲＮＩＮＧインジケータ２１０が点灯して警告を報知したときに、押下するためのボタンである。ＳＴＡＴＵＳボタン２２０が押下されると、警告報知信号が警告報知部１５０入力され、異常の詳細がＷＡＲＮＩＮＧインジケータ２１０に表示される。ＭＥＮＵボタン２３０は、投写型映像表示装置１００が備えている各種設定のメニューを表示させるためのボタンである。各種設定の中には光源の状態を表示させるメニューがあり、ＭＥＮＵボタン２３０を押下して、光源の状態を表示させるメニューを選択・決定すると、スクリーン上で光源の状態が表示される。
【００２９】
方向指示ボタン２４０は、上述のようにメニューを選択するときや、台形歪み、焦点、画面サイズといった各種光学的な設定を調整するときに用いられるボタンである。そして、ＳＥＴボタン２５０は、方向指示ボタン２４０による選択や調整を決定するときに、押下される。ＩＮＰＵＴボタン２６０は、投写型映像表示装置１００が備えている各種入力端子のうち、いずれの端子から映像入力信号を取得するかを選択するためのボタンである。ＯＮ／ＯＦＦボタン２７０は、投写型映像表示装置１００を起動あるいは停止するときに用いられるボタンである。
【００３０】
ＷＡＲＮＩＮＧインジケータ２１０及びＰＯＷＥＲインジケータ２８０は、ＬＥＤ光源を備えている。詳細は後述するが、ＷＡＲＮＩＮＧインジケータ２１０は、ＬＤ光源に異常が発生すると、これを報知するために黄色に点灯する。また、異常の詳細を報知するために赤、緑、青色に点滅する。ＰＯＷＥＲインジケータ２８０は、投写型映像表示装置１００の状態を示すインジケータである。ＰＯＷＥＲインジケータ２８０は、例えば、投写型映像表示装置１００に電力が供給されていない状態（電源コードが接続されていない状態）では消灯しており、電源コードが接続されてスタンバイ状態では赤色に点灯、正常な動作状態では緑色に点灯する。
【００３１】
図２に戻り、ＯＳＤ制御部１６０は、警告報知部１５０から送られた光源状態信号に基づいて、ＬＤ光源１１に異常が発生したことをユーザに報知する警告報知情報をスクリーンへ投写する映像入力信号に付加する。ここで、ＯＳＤ制御部１６０は、映像入力信号が来ているか否かによって、警告報知情報を直ちに表示するか、あるいは、ユーザの指示後に警告報知情報を表示するか選択する。入力信号検出部１７０は、映像入力信号が来ているか否かを検出し、ＯＳＤ制御部１６０に伝達する。
【００３２】
（光源制御例）
以下において、光源制御部１４０の説明において触れた光源制御例について、図面を参照しながら説明する。図４は、光源制御部１４０がＬＤ光源１１に対して行う発光期間の制御の一例を説明するための図である。
【００３３】
複数のＬＤ光源１１のいずれかである測定対象光源のみが光を発する期間が１フレーム区間内に設けられる。具体的には、光源制御部１４０は、測定対象光源のみを発光させる期間では、他のＬＤ光源１１を発光させない。光源制御部１４０は、ＬＤ光源１１が光を発する期間（発光期間）とＬＤ光源１１が光を発しない期間（非発光期間）との比率（Ｄｕｔｙ）を制御する。すなわち、光源制御部１４０は、１フレーム区間（所定期間）内において比率（Ｄｕｔｙ）を制御する。
【００３４】
例えば、図４に示すように、フレーム＃１では、光源Ｎｏ．１のＬＤ光源１１（すなわち、測定対象光源）が光を発する期間（発光期間）では、光源Ｎｏ．２〜光源Ｎｏ．ＮのＬＤ光源１１が光を発してない。同様に、フレーム＃２では、光源Ｎｏ．２のＬＤ光源１１（すなわち、測定対象光源）が光を発する期間（発光期間）では、光源Ｎｏ．１、光源Ｎｏ．３〜光源Ｎｏ．ＮのＬＤ光源１１が光を発してない。なお、フレーム＃３以降も同様である。
【００３５】
これによって、光量センサ７０が光を検出する期間（検出期間）では、測定対象光源が発する光量のみが検出される。この例では、測定対象光源の発光期間の位相をシフトしているだけであるため、１フレーム区間における光量が所望光量となるように、複数ＬＤ光源１１が発する光量を維持しやすい。
【００３６】
上述した例では、光源制御部１４０は、複数のＬＤ光源１１が発する総光量が必要光量となるように、各ＬＤ光源１１の発光期間を制御するが、これに限定されるものではない。例えば、光源制御部１４０は、複数のＬＤ光源１１が発する総光量が必要光量となるように、各ＬＤ光源１１に供給される電力を制御してもよい。光源制御部１４０は、光源状態検出部１３０に記憶された対応関係に基づいて、各ＬＤ光源１１に供給される電力を制御する。
【００３７】
例えば、光源制御部１４０は、総光量が必要光量よりも小さい場合には、複数のＬＤ光源１１のうち、最も発光効率が高いＬＤ光源１１を優先して、ＬＤ光源１１に供給される電力を増大させる。なお、供給電力が上限（最大定格）に達しているＬＤ光源１１は、発光効率が高くても、供給電力を増大させるＬＤ光源１１の対象から外されることに留意すべきである。一方で、光源制御部１４０は、総光量が必要光量よりも大きい場合には、複数のＬＤ光源１１のうち、最も発光効率が低いＬＤ光源１１を優先して、ＬＤ光源１１に供給される電力を減少させる。
【００３８】
光源状態検出部１３０は、光量センサ７０によって検出される光量から、複数のＬＤ光源１１のいずれかである測定対象光源の光量を取得する。続いて、光源状態検出部１３０は、光量センサ７０によって検出される光量から取得された測定対象光源の光量（以下、取得光量）を取得する。光源状態検出部１３０は、取得光量に基づいて、測定対象光源の劣化率を算出する。
【００３９】
具体的には、光源状態検出部１３０は、記憶された測定対象光源の対応関係を参照して、測定対象光源に現在供給されている電力に対応する光量（基準光量）を取得する。続いて、光源状態検出部１３０は、取得光量と基準光量とを比較して、測定対象光源の劣化率（取得光量／基準光量）を算出する。光源状態検出部１３０は、測定対象光源の劣化率に応じて、記憶された測定対象光源の対応関係を更新する。
【００４０】
（投写型映像表示装置の動作）
以下において、光源状態検出部１３０がＬＤ光源１１の光源状態を検出するときの投写型映像表示装置１００の動作について、図面を参照しながら説明する。図５は、投写型映像表示装置１００の動作を示すフロー図である。最初に、投写型映像表示装置１００が測定対象光源の光量を取得する動作について、図５を参照しながら説明する。
【００４１】
図５に示すように、ステップ１０において、投写型映像表示装置１００は、フレーム＃ｎに対応する映像入力信号に基づいて、フレーム＃ｎにおいて必要な必要光量を算出する。ステップ１１において、投写型映像表示装置１００は、複数のＬＤ光源１１が発する総光量が必要光量となるように、複数のＬＤ光源１１が光を発する期間（発光期間）を制御する。なお、発光期間の制御は、上述したように、Ｄｕｔｙ制御であっても、パワー制御であってもよい。
【００４２】
ステップ１２において、投写型映像表示装置１００は、複数のＬＤ光源１１が発する光量を光量センサ７０によって検出する。続いて、投写型映像表示装置１００は、測定対象光源が発する光量を取得する。ステップ１３において、投写型映像表示装置１００は、ステップ１２で取得された測定対象光源の光量に基づいて、測定対象光源の劣化率を算出する。ステップ１４において、投写型映像表示装置１００は、測定対象光源の劣化率に応じて、光源状態検出部１３０に記憶された測定対象光源の対応関係を更新する。
【００４３】
ステップ１５において、投写型映像表示装置１００は、全てのＬＤ光源１１について光量を取得したか否かを判定する。投写型映像表示装置１００は、全てのＬＤ光源１１について光量を取得したと判定した場合には、一連の処理を終了する。一方で、投写型映像表示装置１００は、全てのＬＤ光源１１について光量を取得していないと判定した場合には、ステップ１０の処理に戻る。なお、投写型映像表示装置１００は、ステップ１０の処理に戻った際に、フレーム＃ｎ＋１における発光期間の制御に移るとともに、測定対象光源を切り替えることは勿論である。
【００４４】
図２に戻り、光源状態検出部１３０は、上述した動作によって更新したＬＤ光源１１の状態を警告報知部１５０に出力する。そして、故障などによりＬＤ光源１１が点灯しなくなった場合、警告報知部１５０は、光源状態検出部１３０からの信号に応じて、ユーザに対する警告の報知を行なう。警告報知の例としては、例えば、以下に示すような警告の表示例が考えられる。
【００４５】
（警告報知の表示例１）
警告報知の表示例１について図６を参照して説明する。図６は、光源状態検出部１３０からＬＤ光源１１の状態についての情報を得た警告報知部１５０の動作を示すフロー図である。
【００４６】
図６に示すように、ステップ３０において、警告報知部１５０は、光源状態検出部１３０からの光源状態信号に基づいて、ＬＤ光源１１のいずれかに異常があるか否かを判断する。光源状態検出部１３０からの光源状態信号に異常がある場合には、警告報知部１５０は、ステップ３１において、図３に示した本体パネル３００のＷＡＲＮＩＮＧインジケータ２１０を黄色に点灯してＬＤ光源１１に異常が発生したことをユーザに報知する。一方、ＬＤ光源１１に異常がない場合には、ステップ３２において、ＷＡＲＮＩＮＧインジケータ２１０を消したままの状態とし、警告報知のフローをスキップする。
【００４７】
ユーザが、ＷＡＲＮＩＮＧインジケータ２１０が黄色に点灯していることに気が付いて、本体パネル３００のＳＴＡＴＵＳボタン２２０を押下することにより、警告報知信号を警告報知部１５０が取得するか、あるいは、タイマー１５２からの信号を警告報知部１５０が取得することにより、ステップ３３において、警告報知部１５０は、警告報知のフローを開始する。ＳＴＡＴＵＳボタンが押されていない状態、あるいは、タイマー１５２から信号が来ていない状態では、ＷＡＲＮＩＮＧインジケータ２１０が黄色に点灯している状態を維持する。
【００４８】
ステップ３４において、警告報知部１５０は、光源状態検出部１３０からいずれのＬＤ光源１１に異常が生じているのか、色や場所（光源Ｎｏ．）に関する情報を光源状態検出部１３０から取得する。そして、ステップ３５において、警告報知部１５０は、異常なＬＤ光源の色や場所に応じたＷＡＲＮＩＮＧインジケータ２１０の表示パターンを決定し、ＷＡＲＮＩＮＧインジケータ２１０に表示させる。
【００４９】
具体的な表示パターンを、図７を参照して説明する。例えば、赤色ＬＤ光源１１Ｒの光源Ｎｏ．３が故障して発光しなくなった場合、ＷＡＲＮＩＮＧインジケータ２１０が黄色（Ｙｅ）に点灯する。その後、ＳＴＡＴＵＳボタン２２０を押下されたことを検知して、ＷＡＲＮＩＮＧインジケータ２１０が赤色（Ｒ）に３回点滅する。すなわち、ＷＡＲＮＩＮＧインジケータ２１０の色によって、故障しているＬＤ光源１１の色をユーザに報知し、ＷＡＲＮＩＮＧインジケータ２１０の点滅回数によって、故障しているＬＤ光源の場所を報知する。点滅の回数を明確にするため、点滅表示した後に、ＷＡＲＮＩＮＧインジケータ２１０を黄色（Ｙｅ）に点灯させるとよい。また、黄色に点灯させた後に、再度、故障しているＬＤ光源１１の色と場所を示す警告の表示を繰り返してもよい。
【００５０】
ステップ３６において、警告報知部１５０は、他に異常があるＬＤ光源１１が存在するか否かを判断する。異常があるＬＤ光源１１が他にも存在する場合には、ステップ３４に戻り、警告報知部１５０は、光源状態検出部１６０からいずれのＬＤ光源１１に異常が生じているのかの情報を光源状態検出部１３０から取得し、異常がある他のＬＤ光源１１の色と場所についてＷＡＲＮＩＮＧインジケータ２１０に表示させる。他のＬＤ光源１１には異常がない場合には、警告報知部１５０は、次に警告報知を開始するまでの時間をタイマー１５２に設定する（ステップ３７）。
【００５１】
ステップ３７において、タイマー１５２を設定した後、ステップ３８において、ＷＡＲＮＩＮＧインジケータ２１０を黄色に点灯させて、待ち状態に入る（ステップ３９）。
【００５２】
（警告報知の表示例２）
次に、警告報知の表示例２について図８を参照して説明する。図８は、光源状態検出部１３０からＬＤ光源１１の状態についての情報を得た警告報知部１５０の動作を示すフロー図である。
【００５３】
図８に示すように、ステップ４０において、警告報知部１５０は、光源状態検出部１３０からの光源状態信号に基づいて、ＬＤ光源１１のいずれかに異常があるか否かを判断する。光源状態検出部１３０からの光源状態信号に異常がある場合には、警告報知部１５０は、ステップ４１において、図３に示した本体パネル３００のＷＡＲＮＩＮＧインジケータ２１０を黄色に点灯してＬＤ光源１１に異常が発生したことをユーザに報知する。一方、ＬＤ光源１１に異常がない場合には、ステップ４２において、ＷＡＲＮＩＮＧインジケータ２１０を消したままの状態とし、警告報知のフローをスキップする。
【００５４】
ユーザが、ＷＡＲＮＩＮＧインジケータ２１０が黄色に点灯していることに気が付いて、本体パネル３００のＳＴＡＴＵＳボタン２２０を押下することにより、警告報知信号を警告報知部１５０が取得するか、あるいは、タイマー１５２からの信号を警告報知部１５０が取得することにより、ステップ４３において、警告報知部１５０は、警告報知のフローを開始する。ＳＴＡＴＵＳボタンが押されていない状態、あるいは、タイマー１５２から信号が来ていない状態では、ＷＡＲＮＩＮＧインジケータ２１０が黄色に点灯している状態を維持する。
【００５５】
ステップ４４において、警告報知部１５０は、光源状態検出部１６０から何個のＬＤ光源１１に異常が生じているのか、色や異常があるＬＤ光源１１の個数に関する情報を光源状態検出部１３０から取得する。そして、ステップ４５において、警告報知部１５０は、異常なＬＤ光源の色や個数に応じたＷＡＲＮＩＮＧインジケータ２１０の表示パターンを決定し、ＷＡＲＮＩＮＧインジケータ２１０に表示させる。
【００５６】
具体的な表示パターンを、図９を参照して説明する。例えば、赤色ＬＤ光源１１Ｒの光源Ｎｏ．３と、緑色ＬＤ光源１１Ｇの光源Ｎｏ．３及びＮｏ．６と、青色ＬＤ光源１１Ｂの光源Ｎｏ．８とが故障して発光しなくなった場合、ＷＡＲＮＩＮＧインジケータ２１０が黄色（Ｙｅ）に点灯する。その後、ＳＴＡＴＵＳボタン２２０を押下されたことを検知して、ＷＡＲＮＩＮＧインジケータ２１０が赤色（Ｒ）に１回、緑色（Ｇ）に２回、青色（Ｂ）に１回点滅する。すなわち、ＷＡＲＮＩＮＧインジケータ２１０の色によって、故障しているＬＤ光源１１の色をユーザに報知し、ＷＡＲＮＩＮＧインジケータ２１０の点滅回数によって、故障しているＬＤ光源の個数を報知する。点滅の回数を明確にするため、点滅表示した後に、ＷＡＲＮＩＮＧインジケータ２１０を黄色（Ｙｅ）に点灯させるとよい。また、黄色に点灯させた後に、再度、故障しているＬＤ光源１１の色と場所を示す警告の表示を繰り返してもよい。
【００５７】
ステップ４６において、警告報知部１５０は、次に警告報知を開始するまでの時間をタイマー１５２に設定する。ステップ４６において、タイマー１５２を設定した後、ステップ４７において、ＷＡＲＮＩＮＧインジケータ２１０を黄色に点灯させて、待ち状態に入る（ステップ４８）。
【００５８】
（警告報知の表示例３）
警告報知の表示例３について図１０を参照して説明する。図１０は、警告報知部１５０が光源状態検出部１３０からＬＤ光源１１の状態についての情報を得て、ＯＳＤ制御部１６０に対してスクリーンへの警告報知を指示した後のＯＳＤ制御部１６０の動作を示すフロー図である。
【００５９】
図１０に示すように、ステップ５０において、ＯＳＤ制御部１６０は、警告報知部１５０を介して得られた光源状態検出部１３０からの光源状態信号に基づいて、ＬＤ光源１１のいずれかに異常があるか否かを判断する。光源状態検出部１３０からの光源状態信号に異常がある場合には、ステップ５１において、ＯＳＤ制御部１６０は、映像入力信号が来ていないときか、あるいは、映像入力信号が来ていても、ユーザが図３に示した本体パネル３００のＭＥＮＵボタン２３０を押下したときに、警告報知のフローを開始する。
【００６０】
図２に戻り、ＯＳＤ制御部１６０は、映像入力信号が来ているか否かを、入力信号検出部１７０を介して検出する。再び、図１０に戻り、ステップ５０においてＬＤ光源１１に異常がない場合や、ステップ５１において、映像入力信号が来ていて、かつ、ユーザによってＭＥＮＵボタン２３０が押されていない状態の場合は、ステップ５２において、スクリーンに警告を表示することなく、警告報知のフローをスキップする。
【００６１】
ステップ５１において、映像入力信号が来ていないときか、あるいは、ユーザによってＭＥＮＵボタン２３０が押下されたとき、ステップ５３において、ＯＳＤ制御部１６０は、いずれのＬＤ光源１１に異常が生じているのか、色や場所（光源Ｎｏ．）に関する情報を、警告報知部１５０を介して光源状態検出部１３０から取得する。そして、ステップ５４において、ＯＳＤ制御部１６０は、異常なＬＤ光源の色や場所に応じた警告報知情報を決定し、図２に示した映像信号処理部１１０に対して警告報知情報を付加することを指示する。
【００６２】
具体的な警告報知情報を、図１１を参照して説明する。例えば、赤色ＬＤ光源１１Ｒの光源Ｎｏ．３と、緑色ＬＤ光源１１Ｇの光源Ｎｏ．３及びＮｏ．６と、青色ＬＤ光源１１Ｂの光源Ｎｏ．８とが故障して発光しなくなったとする。映像入力信号が来ているときにユーザがＭＥＮＵボタン２３０を押下した場合、通常、図１１（ａ）のように、スクリーンに映し出されている画面Ｓの左上に示すような設定項目Ｍが表示される。同時に、ＬＤ光源１１に異常がある場合には、画面の左下部分に、ＬＤ光源が故障していること“＜！＞  ＬＡＳＥＲ  ＢＲＯＫＥＮ”及びその光源Ｎｏ．“（Ｒ３，Ｇ３，Ｇ６，Ｂ８）”を含む警告報知情報Ｗが表示される。警告報知情報Ｗは、黒の背景に白抜きの文字を基本とし、“Ｒ３”は赤色、“Ｇ３”や“Ｇ６”は緑色、“Ｂ８”は青色で表示させれば、より分かりやすい表示となる。また、“＜！＞”は赤色で表示させれば、ユーザの注意を引くことができる。
【００６３】
また、映像入力信号が来ていないときには、ＭＥＮＵボタン２３０の押下にかかわらず、図１１（ｂ）のように、画面の左下部分に、ＬＤ光源が故障していること“＜！＞  ＬＡＳＥＲ  ＢＲＯＫＥＮ”及びその光源Ｎｏ．“（Ｒ３，Ｇ３，Ｇ６，Ｂ８）”を含む警告報知情報Ｗが常に表示されるようにすればよい。
【００６４】
ステップ５５において、ＯＳＤ制御部１６０は、入力信号検出部１７０から映像入力信号が来ていない状態から映像入力信号が入力された状態に変化したことを検出するか、あるいは、ユーザが警告報知情報を確認して、再びＭＥＮＵボタン２３０を押下した場合、ＯＳＤ制御部１６０は、警告報知情報Ｗを消去する（ステップ５６）。そして、再び、映像入力信号に変化が出たときや入力部１８０からの指示があるまでＯＳＤ制御部１６０は、待ち状態に入る（ステップ５７）。
【００６５】
以上、警告報知のフローを表示例に沿っていくつか説明したが、ユーザに警告を報知する例はこれに限定されるものではない。
【００６６】
上述した実施の形態では特に触れていないが、ＬＤ光源１１の配置位置に応じて、光量センサ７０によって検出されるＬＤ光源１１の光量が異なる点について考慮されてもよい。上述した実施形態では、光量センサ７０は、赤色成分光、緑色成分光及び青色成分光が合成された合成光の光量を検出するが、これに限定されるものではない。具体的には、光量センサ７０は、赤色成分光、緑色成分光及び青色成分光を個別に検出するように構成されていてもよい。この場合には、光源制御部１４０は、アレイ光源１０Ｒに設けられたＬＤ光源１１Ｒ、アレイ光源１０Ｇに設けられたＬＤ光源１１Ｇ及びアレイ光源１０Ｂに設けられたＬＤ光源１１Ｂを同時に制御してもよい。
【００６７】
上述した実施形態では、光量センサ７０は、投写レンズユニット９０に設けられているが、これに限定されるものではない。具体的には、光量センサ７０は、映像が投写されるスクリーンのオーバスキャン部に設けられていてもよい。
【００６８】
上述した実施形態において、異常とは、ＬＤ光源１１（固体光源）が故障して発光しなくなった場合を想定して説明したが、固体光源の異常はこれに限定されるものではない。例えば、固体光源が劣化して、所定の閾値より明るさが下回ったことを検出したときに、異常と判断してもよい。
【図面の簡単な説明】
【００６９】
【図１】本発明に係る投写型映像表示装置の構成を示す構成模式図である。
【図２】本発明に係る制御ユニットの構成を示すブロック図である。
【図３】（ａ）本発明に係る投写型映像表示装置に設けられた本体パネルの模式図および（ｂ）本体パネルの拡大模式図である。
【図４】本発明に係る光源制御例を説明するための図である。
【図５】本発明に係る投写型映像表示装置の動作を示すフロー図である。
【図６】本発明の警告表示例１に係る警告報知部の動作を示すフロー図である。
【図７】本発明の警告表示例１に係る表示パターンを説明するための図である。
【図８】本発明の警告表示例２に係る警告報知部の動作示すフロー図である。
【図９】本発明の警告表示例２に係る表示パターンを説明するための図である。
【図１０】本発明の警告表示例３に係る警告報知部の動作を示すフロー図である。
【図１１】本発明の警告表示例３に係る表示情報を説明するための図である。
【符号の説明】
【００７０】
１０    アレイ光源（１０Ｒ  赤色アレイ光源；１０Ｇ  緑色アレイ光源；１０Ｂ  青色アレイ光源）
１１    ＬＤ光源（１１Ｒ  赤色ＬＤ光源；１１Ｇ  緑色ＬＤ光源；１１Ｂ  青色ＬＤ光源）
３０    光変調素子（３０Ｒ  赤色用光変調素子、３０Ｇ  緑色用光変調素子；３０Ｂ青色用光変調素子）
５０    クロスダイクロイックプリズム（５１、５２  ダイクロイック膜）
７０    光量センサ
８０    光学素子（８２  フライアイレンズ；８４  コンデンサレンズ）
９０    投写レンズユニット
１００  投写型映像表示装置
１１０  映像信号処理部
１２０  光変調素子駆動部
１３０  光源状態検出部
１４０  ＬＤ光源制御部
１５０  警告報知部
１５２  タイマー
１６０  ＯＳＤ制御部
１７０  入力信号検出部
１８０  入力部
１９０  インジケータ
２００  制御ユニット
２１０  ＷＡＲＮＩＮＧインジケータ
２２０  ＳＴＡＴＵＳボタン
２３０  ＭＥＮＵボタン
２４０  方向指示ボタン（２４０ｕ  上向き矢印ボタン；２４０ｄ  下向き矢印ボタン；２４０ｒ  右向き矢印ボタン；２４０ｌ  左向き矢印ボタン）
２５０  ＳＥＴボタン
２６０  ＩＮＰＵＴボタン
２７０  ＯＮ／ＯＦＦボタン
２８０  ＰＯＷＥＲインジケータ
３００  本体パネル
【図１】
0005193653.tif 000002
【図２】
0005193653.tif 000003
【図３】
0005193653.tif 000004
【図４】
0005193653.tif 000005
【図５】
0005193653.tif 000006
【図６】
0005193653.tif 000007
【図７】
0005193653.tif 000008
【図８】
0005193653.tif 000009
【図９】
0005193653.tif 000010
【図１０】
0005193653.tif 000011
【図１１】
0005193653.tif 000012